(57)【特許請求の範囲】
【請求項１】
光ピックアップから射出されるレーザ光により読み出すことができる情報が記録される光ディスクと、前記光ディスクの盤面から突出して装着される払拭部とを備える光ピックアップレンズクリーナにおいて、
前記払拭部が、基部を前記光ディスクに対して垂直に植設されると共に、基部より上方部分の先端を一定方向に湾曲させて形成しており、
前記払拭部の基部の幅が、当該基部における前記レーザ光の経路幅より小さくなるように形成されることを
特徴とする光ピックアップレンズクリーナ。
【請求項２】
前記請求項１に記載の光ピックアップレンズクリーナにおいて、
前記払拭部の基部より上方部分の先端の湾曲方向が、前記光ディスクの回転方向に対して順方向であることを
特徴とする光ピックアップレンズクリーナ。
【請求項３】
前記請求項１に記載の光ピックアップレンズクリーナにおいて、
前記払拭部の基部より上方部分の先端の湾曲方向が、前記光ディスクの回転方向に対して逆方向であることを
特徴とする光ピックアップレンズクリーナ。
【請求項４】
前記請求項１ないし３に記載の光ピックアップレンズクリーナにおいて、
前記払拭部が、発泡体又は弾性体の合成樹脂で形成されることを
特徴とする光ピックアップレンズクリーナ。
【発明の詳細な説明】
【０００１】
【発明の属する技術分野】
本発明は光ピックアップの対物レンズを清掃する光ピックアップレンズクリーナに関し、特に対物レンズに接触する払拭部の形状を改良した光ピックアップレンズクリーナに関する。
【０００２】
【従来の技術】
従来、この種の光ピックアップレンズクリーナとして実開平４−１３２６１９号公報に開示されるものがあり、これを図３に示す。この図３は従来の光ピックアップレンズクリーナにおける外観斜視図及びその要部拡大図である。
【０００３】
同図において従来の光ピックアップレンズクリーナは、光ピックアップに対向する光ディスク１の側面に回転方向と直交する払拭部２００を設け、この払拭部２００を形成するブラシ毛束２０１の基部を取付溝３００に挿通接着し、このブラシ毛束２０１が対面する光ピックアップの対物レンズと逆向きであり、且つ回転方向に沿うべく傾斜状に突出する構成である。
【０００４】
前記構成に基づく光ピックアップレンズクリーナーは払拭部２００のブラシ毛束２０１の全体を所定方向に傾斜させることにより、対物レンズと接触しても負荷がかかることがないので、光ディスク１の回転が低下してもスムーズに清掃作業がなされると共に、格納場所が狭くてブラシ毛束２０１が図３（Ｃ）に示すように圧接されてもブラシ端部は正しく傾斜して変形することがない。
【０００５】
【発明が解決しようとする課題】
従来の光ピックアップレンズクリーナは以上のように構成されていたことから、ブラシ毛束２０１の基部を光ディスク１に傾斜させて植設しなければならず、植設作業が複雑化して製造が困難となるという課題を有する。また、前記ブラシ毛束２０１の基部を傾斜させて植設するためには、光ディスク１の植設箇所を傾斜方向に広い幅Ｗ2の取付溝３００を形成しなければならず、この幅広い取付溝３００により光ピックアップの読取りエラーが発生してクリーニング動作に支障をきたし、クリーニング動作が実行できないという課題を有する。
【０００６】
本発明は前記課題を解消するためになされたもので、製造を簡略化させると共に、クリーニング動作を確実且つ円滑に行なうことができる光ピックアップレンズクリーナを提供することを目的とする。
【０００７】
【課題を解決するための手段】
本発明に係る光ピックアップレンズクリーナは、光ピックアップから射出されるレーザ光により読み出すことができる情報が記録される光ディスクと、前記光ディスクの盤面から突出して装着される払拭部とを備える光ピックアップレンズクリーナにおいて、前記払拭部が、基部を前記光ディスクに対して垂直に植設されると共に、基部より上方部分の先端を一定方向に湾曲させて形成しており、前記払拭部の基部の幅が、当該基部における前記レーザ光の経路幅より小さくなるように形成されるものである。このように本発明においては、払拭部の基部を光ディスクに対して垂直に植設し、基部より上方部分の先端を一定方向に湾曲させて形成しているので、光ディスクに対する払拭部の植設作業が簡略化且つ迅速化して製造を容易にできると共に、クリーニング動作を確実且つ円滑に行なうことができる。
【０００８】
本発明に係る光ピックアップレンズクリーナは必要に応じて、払拭部の基部より上方部分の先端の湾曲方向が、前記光ディスクの回転方向に対して順方向であるものである。このように本発明においては、光ディスクの回転方向に対して払拭部の基部より上方部分の先端を順方向に湾曲させているので、光ピックアップの対物レンズに対して衝撃を与えることなくクリーニング動作をより円滑に実行できる。
【０００９】
本発明に係る光ピックアップレンズクリーナは必要に応じて、払拭部の基部より上方部分の先端の湾曲方向が、前記光ディスクの回転方向に対して逆方向であるものである。このように本発明においては、光ディスクの回転方向に対して払拭部の基部より上方部分の先端を逆方向に湾曲させているので、光ピックアップの対物レンズ表面をより確実に摺動してクリーニング能力をより向上させる。
【００１０】
本発明に係る光ピックアップレンズクリーナは必要に応じて、払拭部が、発泡体又は弾性体の合成樹脂で形成されるものである。このように本発明においては、払拭部を発泡体、弾性体の合成樹脂で形成しているので、光ピックアップに対するクリーニング時における衝撃を極力抑制しつつ、光ピックアップの対物レンズに対する摺接を確実にしてよりクリーニング能力を向上させる。
【００１１】
【発明の実施の形態】
（本発明の一実施形態）
以下、本発明の一実施形態に係る光ピックアップレンズクリーナを図１に基づいて説明する。この図１（Ａ）は本実施形態に係る光ピックアップレンズクリーナの外観斜視図、図１（Ｂ）は同図（Ａ）における光ピックアップレンズクリーナーにおける払拭部の詳細構成図である。
【００１２】
同図において本実施形態に係る光ピックアップレンズクリーナーは、前記図３に記載の光ピックアップレンズクリーナーと同様に光ディスク１の光ピックアップに対向する側面に払拭部２（図３では２００に相当）を植設する構成とし、この払拭部２のブラシ毛束２１（図３では２０１に相当）の植設構造を異にする構成である。この払拭部２は、基部から直線状に延出するブラシ体の先端部分を前記光ディスク１の回転方向に対して順方向に湾曲させたブラシ毛束２１からなり、このブラシ毛束２１の基部を光ディスク１の取付溝３に垂直に植設される構成である。この取付溝３は、光ディスク１の情報読取り（又は書込み）側の側面に、前記ブラシ毛束２１の外形寸法にほぼ対応する大きさの開口穴が光ディスク１の側面に対して垂直に穿設される構成でる。
【００１３】
次に、前記構成に基づく本実施形態に係る光ピックアップレンズクリーナーの製造動作及びクリーニング動作について説明する。
まず、マザーディスクからスタンパが作成され、このスタンパに基づいて圧縮成形（Compression Mold）方法、射出成形（Injection Mold）方法、２Ｐ（Photo Pelymarization）方法等により光ピックアップレンズクリーナー用の光ディスク１を作成する。この光ディスク１のプログラムエリアにおける任意のトラックにはクリーニング動作についての説明を行なう説明情報が格納されており、この説明情報で特定される所定のトラックをクリーニング領域のトラックとして形成する。
【００１４】
この光ディスク１のクリーニング領域のトラックに前記取付溝３を透明プラスチック基板１１の厚み以内の深さに光ディスク１の側面にほぼ垂直に穿設する。この穿設された取付溝３に払拭部２のブラシ毛束２１における基部を垂直に挿通し固着する。
【００１５】
この取付溝３内へのブラシ毛束２１の固着は、ブラシ毛束２１の基部、又は取付溝３内に予め接着剤を塗布しておき、取付溝３へブラシ毛束２１を挿通して行なう。また、接着剤等を用いることなく取付溝３へブラシ毛束２１を挿通した状態で、このブラシ毛束２１の基部を高周波加熱又はレーザ光等により溶着することにより、前記取付溝３内にブラシ毛束２１を固着することもできる。
【００１６】
このように光ディスク１の基板面に対してほぼ垂直に穿設された取付溝３に対して払拭部２のブラシ毛束２１を垂直方向に挿通して固着するようにしているので、簡略な動作で確実に植設を実行できることとなる。特に、ブラシ毛束２１の植設を作業用ロボット等で自動化して行なう場合には、光ディスク１の基板面の特定位置にロボットアームを移動させて、次にロボットアームを垂直な上下方向に上下動させることにより極めて簡易な動作で実行させることができる。
【００１７】
さらに、本実施形態に係る光ピックアップレンズクリーナーのクリーニング動作については、操作者が光ディスクプレーヤに光ディスク１を装着して動作を開始させると、この光ディスク１のプログラムエリアにおける説明情報が格納されたトラック（例えばトラック１）を再生してこの説明情報を読出して出力する。この出力された説明情報に基づいて操作者が光ディスクプレーヤを操作すると、例えば、トラック２をスキップしてトラック１からトラック３へ移動させる。このトラック２のスキップ移動の際に前記先端部が湾曲したブラシ毛束２１が光ピックアップの対物レンズ４に摺接しつつクリーニング動作を実行する。
【００１８】
このブラシ毛束２１は前記光ディスク１の回転方向に対して順方向に湾曲させて形成されていることから、対物レンズ４への摺接する場合に、この摺接当初に対物レンズ４への強い衝撃を極力抑制して摺接を開始させることなり、光ディスクプレーヤのスキップ動作不良を発生させることなく円滑且つ確実にクリーニングを行なうことができることとなる。また、前記ブラシ毛束２１が光ディスク１の回転方向に対して順方向に予め湾曲させて形成されていることから、クリーニング動作時における対物レンズ４への摺接又はケースに収納された状態においてブラシ毛束２１のケース内壁への接触の場合においても、予め湾曲させた方向へのみブラシ毛束２１が湾曲させられることとなり、ランダムな方向への横倒れや花咲き状態となることを防止することができる。
【００１９】
特に、前記ブラシ毛束２１がその基部を光ディスク１の透明プラスチック基板１１に垂直に植設して植設面積を極力小さく形成すると共に、その先端部のみを湾曲させる構成を採っていることから、光ピックアップの対物レンズ４から投射されるレーザ光及び光ディスク１の情報記録面からの情報レーザ光がブラシ毛束２１の基部で遮断されることを極力抑制できることとなる。即ち、図１（Ｂ）に示すように光ピックアップにおける対物レンズ４のレーザ光及び情報レーザ光（破線で示す）の経路幅Ｗ0がブラシ毛束２１の基部の幅Ｗ1より十分大きくなるように入射又は射出を行なうので、前記透明プラスチック基板１１と保護層１３との間に介装される反射層１２で形成される情報記録面の情報信号読出しに支障を来すことなくクリーニング動作を実行できることとなる。
【００２０】
なお、前記実施形態に係る光ピックアップレンズクリーナーは払拭部２のブラシ毛束２１における先端部を光ディスク１の回転方向に対して順方向に湾曲させて構成したが、このブラシ毛束２１の先端を光ディスク１の回転方向に対して逆方向に湾曲させて構成することもできる。この場合には光ピックアップの対物レンズ４の表面に対してより確実に摺接してクリーニング能力がより強力なものとなる。
【００２１】
また、前記各実施形態に係る光ピックアップレンズクリーナーは払拭部２をブラシ毛束２１で形成することとしたが、図２（Ａ）、（Ｂ）、（Ｃ）のように他の素材又は他の植設構造とすることもできる。同図（Ａ）において払拭部２は先細状の先端が一方向に屈曲する弾性体で形成することもできる。この場合には対物レンズ４の表面に対するより密着性のよい摺接が可能となりクリーニング能力を向上させることができる。この弾性体の一例として発泡性のウレタン樹脂、シリコンゴム等がある。
【００２２】
同図（Ｂ）において払拭部２は、弾性材で形成される中空状筒体の先端を一方向に屈曲させて形成し、この弾性材として同図（Ａ）の場合と同様に発泡性ウレタン樹脂、シリコンゴム等で形成することもできる。この場合には弾性材で形成される筒体の中空部分で対物レンズ４に摺接する際に適度の弾性力で対物レンズ４の表面を摺接移動できることとなり、クリーニング効果を高く維持しつつ対物レンズ４に対する衝撃を小さくすることができる。
【００２３】
同図（Ｃ）において払拭部２は、ブラシ毛束２１をラジアル方向（半径方向）に所定幅植設する構成とすることもできる。この場合には、クリーニング動作時にスキップ動作とほぼ同じ方向にブラシ毛束が植設されていることから、対物レンズ４からのレーザ光を極力遮断することなく、より幅広く対物レンズ４に対するクリーニング動作が実行できる。
【００２４】
【発明の効果】
以上のように本発明においては、払拭部の基部を光ディスクに対して垂直に植設し、基部より上方部分の先端を一定方向に湾曲させて形成しており、前記払拭部の基部の幅が、当該基部における前記レーザ光の経路幅より小さくなるように形成されるので、光ディスクに対する払拭部の植設作業が簡略化且つ迅速化して製造を容易にできると共に、クリーニング動作を確実且つ円滑に行なうことができるという効果を奏する。
また、本発明においては、光ディスクの回転方向に対して払拭部の基部より上方部分の先端を順方向に湾曲させているので、光ピックアップの対物レンズに対して衝撃を与えることなくクリーニング動作をより円滑に実行できるという効果を有する。
また、本発明においては、光ディスクの回転方向に対して払拭部の基部より上方部分の先端を逆方向に湾曲させているので、光ピックアップの対物レンズ表面をより確実に摺動してクリーニング能力をより向上させるという効果を有する。
さらに、本発明においては、払拭部を発泡体、弾性体の合成樹脂で形成しているので、光ピックアップに対するクリーニング時における衝撃を極力抑制しつつ、光ピックアップの対物レンズに対する摺接を確実にしてよりクリーニング能力を向上させるという効果を有する。
【図面の簡単な説明】
【図１】（Ａ）は本発明の一実施形態に係る光ピックアップレンズクリーナの外観斜視図である。
（Ｂ）は本発明の一実施形態に係る光ピックアップレンズクリーナにおける払拭部の詳細構成図である。
【図２】（Ａ）は本発明の他の実施形態に係る光ピックアップレンズクリーナにおける払拭部の詳細構成図である。
（Ｂ）は本発明の他の実施形態に係る光ピックアップレンズクリーナにおける払拭部の詳細構成図である。
（Ｃ）は本発明の他の実施形態に係る光ピックアップレンズクリーナにおける払拭部の詳細構成図である。
（Ｄ）は本発明の他の実施形態に係る光ピックアップレンズクリーナにおける払拭部の詳細構成図である。
【図３】（Ａ）は従来の光ピックアップレンズクリーナの外観斜視図である。
（Ｂ）は従来の光ピックアップレンズクリーナにおける要部拡大断面図である。
（Ｃ）は従来の光ピックアップレンズクリーナにおける要部拡大断面図である。
【符号の説明】
１  光ディスク
２、２００  払拭部
３、３００  取付溝
４  対物レンズ
１１  透明プラスチック基板
１２  反射層
１３  保護層
２１、２０１  ブラシ毛束
【図１】
0003961066.tif 000002
【図２】
0003961066.tif 000003
【図３】
0003961066.tif 000004